(57)【要約】本発明は平準化器を利用したＩＣＳ中継器の干渉除去方法及びその装置に関するものであり、狭帯域信号によって発生した不必要な雑音信号を除去するために自己相関関係除去器またはデジタルフィルタを使用せずに平準化器を使用するため干渉信号のみを効果的に除去するだけでなく、短いシステム遅延時間を行うべきＬＴＥ無線ネットワーク用ＩＣＳ中継器の設計を可能にするのにその目的がある。【選択図】図３
2016524857.tif 000002
【特許請求の範囲】
【請求項１】
無線ネットワーク中継器用受信アンテナと送信アンテナの間に位置し受信アンテナを介して入力された源信号（ｄ（ｎ））からＩＣＳエンジン部からの予測饋還信号（ｙ’（ｎ））を減算して干渉信号が除去されたエラー信号（ｅ（ｎ））を前記送信アンテナの方に出力する平準化器を利用したＩＣＳ中継器の干渉除去装置において、
前記ＩＣＳエンジン部は前記減算器を介して出力されたエラー信号（ｅ（ｎ））を一定時間遅延させた基準信号（ｘ（ｎ））を発生する時間遅延部と、
前記時間遅延部から出力された基準信号（ｘ（ｎ））から狭帯域信号の特性を平準化して新たな基準信号（ｘ’（ｎ））を発生する平準化器と、
前記平準化器から出力された前記新たな基準信号（ｘ’（ｎ））と前記エラー信号（ｅ（ｎ））の相関関係を演算して干渉信号予測係数（ｗ（ｎ））を算出する係数発生部と、
前記時間遅延部からの基準信号（ｘ（ｎ））と前記係数発生部からの予測信号（ｗ（ｎ））をコンボリューション（ｃｏｎｖｏｌｕｔｉｏｎ）して予測饋還信号（ｙ’（ｎ））を生成し前記減算器に入力するＦＩＲ（Ｆｉｎｅ  Ｉｍｐｕｌｓｅ  Ｒｅｓｐｏｎｓｅ）フィルタと、を含んで構成されることを特徴とする平準化器を利用したＩＣＳ中継器の干渉除去装置。
【請求項２】
前記平準化器は入力された前記基準信号（ｘ（ｎ））をＦＦＴ（Ｆａｓｔ  Ｆｏｕｒｉｅｒ  Ｔｒａｎｓｆｏｒｍ）を介して時間軸データを周波数軸データに変換し、
前記ＦＦＴによって周波数の大きさ（ｍａｇｎｉｔｕｄｅ（Ａ））と位相（ｐｈａｓｅ）で表現される複素数（ａ＋ｂｊ）から大きさの値（ｍａｇｎｉｔｕｄｅ（Ａ））を算出し、
前記大きさの値（ｍａｇｎｉｔｕｄｅ（Ａ））と平準化したい最大の大きさの値（ｍａｇｎｉｔｕｄｅ（ＭＡＸ））の割合（Ｘ）を算出し、
前記算出された割合（Ｘ）を前記複素数の「ａ」と「ｂ」にそれぞれ乗算（ａ＊Ｘ）、（ｂ＊Ｘ）して平準化し、
前記平準化されたデータをＩＦＦＴ（Ｉｎｖｅｒｓｅ  ＦＦＴ）を介して時間軸データに復元し新たな基準信号（ｘ’（ｎ））を算出することを特徴とする請求項１に記載の平準化器を利用したＩＣＳ中継器の干渉除去装置。
【請求項３】
送信アンテナと受信アンテナの間で干渉が除去されたエラー信号（ｅ（ｎ））を時間遅延部を介して一定時間遅延させた基準信号（ｘ（ｎ））を発生し、前記基準信号を平準化器を介して平準化して狭帯域入力信号源によって発生した干渉信号を除去する平準化器を利用したＩＣＳ中継器の干渉除去方法において、
前記時間遅延部から発生した基準信号（ｘ（ｎ））を平準化器を介し狭帯域信号の特性を平準化して新たな基準信号（ｘ’（ｎ））を生成する第１過程と、
前記平準化器を介した新たな基準信号（ｘ’（ｎ））と前記減算器を介したエラー信号（ｅ（ｎ））の相関関係を演算し干渉信号予測係数（ｗ（ｎ））を算出する第２過程と、
前記基準信号（ｘ（ｎ））と予測係数（ｗ（ｎ））から予測饋還信号（ｙ’（ｎ））を生成する第３過程と、
前記予測饋還信号（ｙ’（ｎ））を減算器で減算して干渉信号が除去されたエラー信号（ｅ（ｎ＋１））を出力する第４過程と、を含んで形成されることを特徴とする平準化器を利用したＩＣＳ中継器の干渉除去方法。
【請求項４】
第１過程は前記平準化器によって前記基準信号（ｘ（ｎ））をＦＦＴ（Ｆａｓｔ  Ｆｏｕｒｉｅｒ  Ｔｒａｎｓｆｏｒｍ）を介して時間軸データを周波数軸データに変換する第１ステップと、
前記ＦＦＴによって周波数の大きさ（ｍａｇｎｉｔｕｄｅ（Ａ））と位相（ｐｈａｓｅ）で表現される複素数（ａ＋ｂｊ）から大きさの値（ｍａｇｎｉｔｕｄｅ（Ａ））を算出する第２ステップと、
前記大きさの値（ｍａｇｎｉｔｕｄｅ（Ａ））と平準化したい最大の大きさの値（ｍａｇｎｉｔｕｄｅ（ＭＡＸ））の割合（Ｘ）を算出する第３ステップと、
前記算出された割合（Ｘ）を前記複素数の「ａ」と「ｂ」にそれぞれ乗算（ａ＊Ｘ）、（ｂ＊Ｘ）して平準化する第４ステップと、
前記平準化されたデータをＩＦＦＴ（Ｉｎｖｅｒｓｅ  ＦＦＴ）を介して時間軸データに復元し新たな基準信号（ｘ’（ｎ））を算出する第５ステップと、を含むことを特徴とする請求項３に記載の平準化器を利用したＩＣＳ中継器の干渉除去方法。
【請求項５】
前記第２ステップにおいて、大きさの値（ｍａｇｎｉｔｕｄｅ（Ａ））は
【数１】
2016524857.tif 000006
によって算出されることを特徴とする請求項４に記載の平準化器を利用したＩＣＳ中継器の干渉除去方法。
【請求項６】
前記第３ステップにおいて、割合（Ｘ）は
【数２】
2016524857.tif 000007
によって算出されることを特徴とする請求項４に記載の平準化器を利用したＩＣＳ中継器の干渉除去方法。
【請求項７】
前記第２過程の干渉信号予測係数（ｗ（ｎ））は適応アルゴリズムを行う係数発生部で行うことを特徴とする請求項３に記載の平準化器を利用したＩＣＳ中継器の干渉除去方法。
【請求項８】
前記第３過程は前記基準信号（ｘ（ｎ））と予測係数（ｗ（ｎ））をコンボリューションして予測饋還信号（ｙ’（ｎ））を生成するＦＩＲ（Ｆｉｎｉｔｅ  Ｉｍｐｕｌｓｅ  Ｒｅｓｐｏｎｓｅ）フィルタで行うことを特徴とする請求項３に記載の平準化器を利用したＩＣＳ中継器の干渉除去方法。
【発明の詳細な説明】
【技術分野】
【０００１】
本発明は無線ネットワークで使用可能なＩＣＳ中継器に関するものであり、より詳しくは、ＩＣＳ中継器から平準化器を利用して干渉信号のみを効果的に除去し、短いシステム遅延（Ｓｙｓｔｅｍ  ｄｅｌａｙ）を行うべきＬＴＥ無線ネットワーク用ＩＣＳ中継を設計し得る平準化器を利用したＩＣＳ中継器の干渉除去装置及びその方法に関するものである。
【背景技術】
【０００２】
一般に、ＩＣＳ中継器は無線中継器における送受信アンテナ間に発生する饋還信号による発振問題を解決するためのシステムであり、より詳しくは、従来の無線中継器に干渉除去技術を適用して饋還する信号を予測し、それを入力された源信号から減算して饋還信号を制御する技術が適用された無線中継器である。
【０００３】
図１は一般的は適応アルゴリズムを利用した干渉除去方法を使用する適応型ＩＣＳ中継器の構成図であって、干渉除去エンジン部４０は送受信アンテナ１０、３０の間に位置し、遅延部４１、係数発生部４２及びＦＩＲフィルタ４３で構成される。前記受信アンテナ１０を介して受信された源信号（（ｄ（ｎ））＝ｓ（ｎ）＋ｙ（ｎ））が減算器２１を介して干渉信号が除去されたエラー信号（ｅ（ｎ））を出力する。
【０００４】
この際、干渉除去エンジン部４０の係数発生部（Ｃｏｅｆｆｉｃｉｅｎｔ  ｇｅｎｅｒａｔｏｒ）４２は前記減算器２１を介して干渉信号が除去されたエラー信号（ｅ（ｎ））と遅延部４１を介して一定時間遅延された基準信号（ｘ（ｎ））間の相関関係を演算し、干渉信号予測係数（ｗ（ｎ））を算出する。
【０００５】
前記干渉信号予測係数（ｗ（ｎ））はＦＩＲフィルタ４３を介して基準信号（ｘ（ｎ））とコンボリューションして同位相の予測された饋還信号（（ｙ’（ｎ）））を生成し、前記予測饋還信号（（ｙ’（ｎ）））は前記減算器２１を介して前記源信号（ｄ（ｎ））から減算して干渉信号が除去された信号を前記送信アンテナ３０の方に出力する。
【０００６】
このような適応アルゴリズムを利用した干渉除去方法を使用する適応型ＩＳＣ中継器は、一般にＬＭＳ（Ｌｅａｓｔ  Ｍｅａｎ  Ｓｑｕａｒｅｄ）またはＲＬＳ（Ｒｅｃｕｒｓｉｖｅ  Ｌｅａｓｔ  Ｓｑｕａｒｅ）適応アルゴリズムを利用しており、このような適応アルゴリズムはエラー信号（ｅ（ｎ））と基準信号（ｘ（ｎ））間の相関関係を利用して饋還信号を予測し同位相の饋還信号を生成するため、入力信号源の特性に応じて干渉除去能力に差がある特性を有するようになる。
【０００７】
特に、ＬＴＥ（Ｌｏｎｇ  Ｔｅｒｍ  Ｅｖｌｏｕｔｉｏｎ）または多重搬送波変調方式であるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号の副搬送波（Ｓｕｂｃａｒｒｉｅｒ）部分の使用のように狭帯域の信号が入力される場合、入力信号の自己相関関係の特性のため干渉信号を効果的に除去できず、かえって不必要な雑音信号が生成される問題点があった。
【０００８】
このような問題点を解決するために、従来はＦＡ（ｃａｒｒｉｅｒ）フィルタを使用して信号がない帯域の不必要な雑音信号を除去するか、チャネルタイプに設計して狭帯域信号と認識しないようにすることで解決していた。
【０００９】
しかし、このようなＦＡフィルタまたはチャネルタイプはデジタルフィルタであって、システムの遅延に多大な影響を及ぼすことでＬＴＥネットワークでのショートディレイ（Ｓｈｏｒｔ  ｄｅｌａｙ）（４．６８７５μｓ）の設計が不可能な問題点があった。
【００１０】
ここで、ＬＴＥネットワークでショートディレイの設計が必要な理由は、チャネル間干渉を防止するためにガードインターバル区間に挿入する信号で「Ｃｙｃｌｉｃ  Ｐｒｅｆｉｘ」を挿入する。しかし、ガードインバーバル区間に信号がなければ副搬送波（Ｓｕｂｃａｒｒｉｅｒ）の直交性（Ｏｒｔｈｏｇｏｎａｌ）が崩れてチャネル間干渉が発生する。それを防止するために、シンボル区間の後部分の信号を一部コピーして挿入するが、これを「Ｃｙｃｌｉｃ  Ｐｒｅｆｉｘ」と称する。
【００１１】
ＬＴＥネットワークではＣｙｃｌｉｃ  Ｐｒｅｆｉｘの長さが４．６８７５μｓであり、無線中継器の場合はシステム遅延が４．６８７５μｓ以下でなければチャネル間干渉が起こってしまう。
【００１２】
図２は従来技術による自己相関関係除去器が適用された他のＩＣＳ中継器の構成図であって、これは特許文献１（ＩＣＳ中継器の干渉除去方法）に開示されている。
【００１３】
このような従来技術は事項相関関係を除去して狭帯域信号入力時の問題点を解決するためのものであり、このような自己相関関係の除去方法は饋還信号のうち狭帯域信号を除去し広帯域の白色雑音のみを残してそれを基準信号（ｘ（ｎ））として使用する方法であるが、これは基準信号（ｘ（ｎ））が狭帯域信号が除去されて白色雑音のみ残っている状態であるため、信号の量（ｌｅｖｅｌ）が微弱で結局予測係数（ｗ（ｎ））を算出する適応速度が遅くなる問題点があった。
【先行技術文献】
【特許文献】
【００１４】
【特許文献１】韓国特許公開公報第１０−２０１３−００５４３０５号（公開日２０１３年５月２４日）
【発明の概要】
【発明が解決しようとする課題】
【００１５】
本発明は上述した従来技術の問題点を解決するために、狭帯域信号によって発生した不必要な雑音信号を除去するために自己相関関係除去器またはデジタルフィルタを使用せずに平準化器を使用するため干渉信号のみを効果的に除去するだけでなく、それによって短いシステム遅延時間を行うべきＬＴＥ無線ネットワーク用ＩＣＳ中継器の設計が可能な平準化器を利用したＩＣＳ中継器の干渉除去方法及びその装置を提供するのにその目的がある。
【課題を解決するための手段】
【００１６】
本発明の目的を達成するための平準化器を利用したＩＣＳ中継器の干渉除去装置は、無線ネットワーク中継器用受信アンテナと送信アンテナの間に位置し受信アンテナを介して入力された源信号（ｄ（ｎ））からＩＣＳエンジン部からの予測饋還信号（ｙ’（ｎ））を減算器を介して減算し干渉信号が除去されたエラー信号（ｅ（ｎ））を出力する平準化器を利用したＩＣＳ中継器の干渉除去装置において、前記ＩＣＳエンジン部は前記減算器を介して出力されたエラー信号（ｅ（ｎ））を一定時間遅延させた基準信号（ｘ（ｎ））を発生する時間遅延部と、前記時間遅延部から出力された基準信号（ｘ（ｎ））から狭帯域信号の特性を平準化して新たな基準信号（ｘ’（ｎ））を発生する平準化器と、前記平準化器から出力された前記新たな基準信号（ｘ’（ｎ））と前記エラー信号（ｅ（ｎ））の相関関係を演算して干渉信号予測係数（ｗ（ｎ））を算出する係数発生部と、前記時間遅延部からの基準信号（ｘ（ｎ））と前記係数発生部からの予測信号（ｗ（ｎ））をコンボリューション（ｃｏｎｖｏｌｕｔｉｏｎ）して予測饋還信号（ｙ’（ｎ））を生成し前記減算器に入力するＦＩＲ（Ｆｉｎｅ  Ｉｍｐｕｌｓｅ  Ｒｅｓｐｏｎｓｅ）フィルタと、を含んで構成されることを特徴とする。
【００１７】
本発明の目的を達成するための平準化器を利用したＩＣＳ中継器の干渉除去過程は、送信アンテナと受信アンテナの間で干渉が除去されたエラー信号（ｅ（ｎ））を時間遅延部を介して一定時間遅延させた基準信号（ｘ（ｎ））を発生し、前記基準信号を平準化器を介して一定時間遅延させた基準信号（ｘ（ｎ））を発生し、前記基準信号を平準化器を介して平準化して狭帯域入力信号源によって発生した干渉信号を除去する平準化器を利用したＩＣＳ中継器の干渉除去方法において、前記時間遅延部から発生した基準信号（ｘ（ｎ））を平準化器を介し狭帯域信号の特性を平準化して新たな基準信号（ｘ’（ｎ））を生成する第１過程と、前記平準化器を介した新たな基準信号（ｘ’（ｎ））と前記減算器を介したエラー信号（ｅ（ｎ））の相関関係を演算し干渉信号予測係数（ｗ（ｎ））を算出する第２過程と、前記基準信号（ｘ（ｎ））と予測係数（ｗ（ｎ））から予測饋還信号（ｙ’（ｎ））を生成する第３過程と、前記予測饋還信号（ｙ’（ｎ））を減算器で減算して干渉信号が除去されたエラー信号（ｅ（ｎ＋１））を出力する第４過程と、を含んで形成されることを特徴とする。
【００１８】
ここで、第１過程は前記平準化器によって前記基準信号（ｘ（ｎ））をＦＦＴ（Ｆａｓｔ  Ｆｏｕｒｉｅｒ  Ｔｒａｎｓｆｏｒｍ）を介して時間軸データを周波数軸データに変換する第１ステップと、前記ＦＦＴによって周波数の大きさ（ｍａｇｎｉｔｕｄｅ（Ａ））と位相（ｐｈａｓｅ）で表現される複素数（ａ＋ｂｊ）から大きさの値（ｍａｇｎｉｔｕｄｅ（Ａ））を算出する第２ステップと、前記大きさの値（ｍａｇｎｉｔｕｄｅ（Ａ））と平準化したいの最大の大きさの値（ｍａｇｎｉｔｕｄｅ（ＭＡＸ））の割合（Ｘ）を算出する第３ステップと、前記算出された割合（Ｘ）を前記複素数の「ａ」と「ｂ」にそれぞれ乗算（ａ＊Ｘ）、（ｂ＊Ｘ）して平準化する第４ステップと、前記平準化されたデータをＩＦＦＴ（Ｉｎｖｅｒｓｅ  ＦＦＴ）を介して時間軸データに復元し新たな基準信号（ｘ’（ｎ））を算出する第５ステップと、を含むことを特徴とする。
【発明の効果】
【００１９】
本発明による平準化器を利用したＩＣＳ中継器の干渉除去方法は、狭帯域信号によって発生した不必要な雑音信号を除去するために自己相関関係除去器またはデジタルフィルタを使用せずに平準化器を使用して干渉信号のみを除去することができるようになり、システムの遅延時間が短い（４．６８７５μｓ以下）ＬＴＥネットワークに使用可能なＩＣＳ中継器を設計し得る効果がある。
【図面の簡単な説明】
【００２０】
【図１】一般的なＩＣＳ中継器の構成図である。
【図２】従来技術による干渉除去のためのＩＣＳ中継器の構成図である。
【図３】本発明の実施例による平準化器を利用したＩＣＳ中継器の干渉除去装置の構成図である。
【図４】本発明の実施例による平準化器を利用したＩＣＳ中継器の干渉除去過程のフローチャートである。
【図５】図４における新たな基準信号（ｘ’（ｎ））を算出する平準化過程のフローチャートである。
【発明を実施するための形態】
【００２１】
本発明による平準化器を利用したＩＣＳ中継器の干渉除去方法及び装置に関する構成及び作用を添付した図３乃至図５を参照して詳細に説明すると以下のようである。
【００２２】
図３は本発明の実施例によるＩＣＳ中継器の干渉除去装置の構成図であって、無線ネットワーク中計器用受信アンテナ１０と、前記受信アンテナ１０を介して入力された基地局信号（ｓ（ｎ））と饋還信号（ｙ（ｎ））が含まれた源信号（ｄ（ｎ）＝ｓ（ｎ）＋ｙ（ｎ））から予測饋還信号（ｙ’（ｎ））を減算して干渉信号を除去するためのエラー信号（ｅ（ｎ＋１））と、前記減算器２１から出力されたエラー信号（ｅ（ｎ））から干渉信号が除去された予測饋還信号（ｙ’（ｎ））を発生して前記減算器２１にフィードバックするＩＣＳエンジン部５０と、前記減算器２１を介して出力されたエラー信号（ｅ（ｎ）、ｅ（ｎ＋１）、…）を増幅してから送信アンテナ３０出力する増幅器２２で構成される。
【００２３】
前記ＩＣＳエンジン部５０は前記減算器２１を介して出力されたエラー信号（ｅ（ｎ））を一定時間遅延させた基準信号（ｘ（ｎ））を発生する時間遅延部５１と、前記時間遅延部５１から出力された基準信号（ｘ（ｎ））から狭帯域信号の特性を平準化して新たな基準信号（ｘ’（ｎ））を発生する平準化器５２と、前記平準化器５２から出力された前記新たな基準信号（ｘ’（ｎ））と前記エラー信号（ｅ（ｎ））の相関関係を演算し干渉信号予測係数（ｗ（ｎ））を算出する係数発生部５３と、前記時間遅延部５１からの基準信号（ｘ（ｎ））と前記係数発生部５３からの予測係数（ｗ（ｎ））をコンボリューションし予測饋還信号（ｙ’（ｎ））を生成して前記減算器２１に入力するＦＩＲフィルタ５４で構成される。
【００２４】
このように構成された本発明の実施例による平準化器を利用したＩＣＳ中継器の干渉除去方法及び装置に対する作用を添付した図３乃至図５を参照して詳細に説明すると以下のようである。
【００２５】
まず、本発明は無線ネットワークで使用可能なＩＣＳ中継器を設計するに当たって、干渉除去のためのＩＣＳエンジンに基準信号（ｘ（ｎ））をＦＦＴして時間軸のデータを周波数軸のデータに変換する平準化器を利用するため、狭帯域入力信号源による干渉信号のみを効果的に除去する。
【００２６】
図３は本発明の実施例による平準化器を利用したＩＣＳ中継器の干渉信号除去装置のブロック図であって、ＩＣＳ中継器は受信アンテナ１０に送信アンテナ３０から饋還された干渉信号を除去するためにＩＣＳエンジン部５０から饋還される信号を予測（ｙ’（ｎ））し、それを入力された源信号（ｄ（ｎ））から減算器２１を利用した除去した後、増幅器を介して送信アンテナ３０に出力するように構成されている。
【００２７】
図４は本発明の実施例による平準化器を利用したＩＣＳ中継器の干渉除去過程のフローチャートであって、まず前記受信アンテナ１０から送信アンテナ３０に伝送される源信号（ｄ（ｎ））に含まれた饋還信号（ｙ（ｎ））を減算し、干渉信号が除去されたエラー信号（ｅ（ｎ））を前記増幅器２２を介して送信アンテナ３０に出力するＳ１０２、Ｓ１０４、Ｓ１１６。
【００２８】
この際、前記エラー信号（ｅ（ｎ））は前記ＩＣＳエンジン部５０に入力されて予測饋還信号（ｙ’（ｎ））を算出してから前記減算器２１に入力するが、前記ＩＣＳエンジン部５０を構成している各部５１〜５４を介して予測饋還信号（ｙ’（ｎ））を算出する過程をより詳細に説明すると以下のようである。
【００２９】
前記時間遅延部５１は前記減算器２１から出力されたエラー信号（ｅ（ｎ））を一定時間遅延させた基準信号（ｘ（ｎ））を発生するＳ１０６。
【００３０】
前記時間遅延部５１から発生した基準信号（ｘ（ｎ））は前記平準化器５２で狭帯域信号の特性を平準化した新たな基準信号（ｘ’（ｎ））を発生するＳ１０８。
【００３１】
即ち、前記平準化器は狭帯域信号の特性である狭い帯域の周波数軸信号を帯域が広い信号に変換するが、そのためにまず前記基準信号（ｘ（ｎ））をＦＦＴして時間軸データを周波数軸データに変換し、変換された周波数軸データを平準化した後、ＩＦＦＴを介して時間軸データとして更に復元して新たな基準信号（ｘ’（ｎ））を算出する。
【００３２】
図５は図４における平準化器５２による新たな基準信号（ｘ’（ｎ））の算出過程のフローチャートであり、それを参照してより詳細に説明すると以下のようである。
【００３３】
まず、前記時間遅延部５１からの基準信号（ｘ（ｎ））をＦＦＴ過程を介して時間軸データを周波数軸データに変換するＳ２０２。
【００３４】
前記ＦＦＴ変換による結果値である周波数軸データは複素数（ａ＋ｂｊ）に表現されるが、ここで複素数によって周波数の大きさ（ｍａｇｎｉｔｕｄｅ（Ａ））と位相（ｐｈａｓｅ）が下記数式１によって算出されるＳ２０４。
【００３５】
【数１】
2016524857.tif 000003
【００３６】
次に平準化したい大きさの値（ｍａｇｎｉｔｕｄｅ（ＭＡＸ））を設定するが、例えばデータが１４ｂｉｔ（８，１９１〜−８，１９２）のシステムであれば、望みの大きさ（ｍａｇｎｉｔｕｄｅ（ＭＡＸ））は下記数式２のように算出した値を設定するＳ２０６。
【００３７】
【数２】
2016524857.tif 000004
【００３８】
次に前記数式１から算出された大きさ（ｍａｇｎｉｔｕｄｅ（Ａ））と数式２のように平準化したい大きさの値（ｍａｇｎｉｔｕｄｅ（ＭＡＸ））の割合（Ｘ）を下記数式３によって算出するＳ２０８。
【００３９】
【数３】
2016524857.tif 000005
【００４０】
前記過程を介して算出された割合（Ｘ）は前記複素子（ａ＋ｂｊ）の「ａ」と「ｂ」にそれぞれ乗算（ａ＊Ｘ）、（ｂ＊Ｘ）して平準化するＳ２１０。
【００４１】
前記平準化された周波数軸データをＩＦＦＴ過程を介して更に時間軸データに復元するため、新たな基準信号（ｘ’（ｎ））を算出するようになるＳ２１２。
【００４２】
図５に示したように、前記平準化器５２の演算過程を介して算出された新たな基準信号（ｘ’（ｎ））は前記係数発生器５３で前記エラー信号（ｅ（ｎ））との相関関係を演算し、干渉信号予測係数（ｗ（ｎ））を算出するＳ１１０。
【００４３】
前記ＦＩＲフィルタ５４は前記係数発生器５３から入力された干渉信号予測係数（ｗ（ｎ））を前記時間遅延部５１から入力された基準信号（ｘ（ｎ））とコンボリューションし、同位相の予測饋還信号（ｙ’（ｎ））を生成してから前記減算器２１に出力するＳ１１２。
【００４４】
前記減算器２１は前記源信号（ｄ（ｎ））から前記予測饋還信号（ｙ’（ｎ））を減算して干渉信号が除去されたエラー信号（ｅ（ｎ＋１））を出力するＳ１１４。
【００４５】
このように干渉信号が除去されたエラー信号（ｅ（ｎ＋１））は前記増幅器２２を介して送信アンテナ３０に伝送されるＳ１１６。
【００４６】
一方、前記干渉信号が除去されたエラー信号（ｅ（ｎ＋１））は更に前記ＩＣＳエンジン部５０に入力され、前記時間遅延部５１、平準化器５２、係数発生部５３及びＦＩＲフィルタ５４を介して次の次数の予測饋還信号（ｙ’（ｎ））を発生し前記減算器２１に出力することで、前記減算器２１から現信号（ｄ（ｎ＋１）＝ｓ（ｎ＋１）＋ｙ（ｎ＋１））に含まれた予測饋還信号（ｙ’（ｎ））を除去したエラー信号（ｅ（ｎ＋２））を出力する。
【００４７】
前記ＩＣＳエンジン部５０は前記過程を繰り返すため、前記受信アンテナ１０を介して入力される全ての源信号（ｄ（ｎ）、ｎ＝１、２、３…）に含まれた各干渉信号を除去するようになる。
【００４８】
これまで本発明を特定の好ましい実施例を挙げて図示し説明したが、本発明は上述した実施例に限定されず、本発明の精神を逸脱しない範囲内で該当発明の属する技術分野における通常の知識を有する者によって多様な変更を修正が可能なはずである。
【符号の説明】
【００４９】
１０：受信アンテナ                    ２１：減算器
２２：増幅器                          ３０：送信アンテナ
５０：ＩＣＳエンジン部                ５１：時間遅延部
５２：平準化器                        ５３：係数発生部
５４：ＦＩＲフィルタ
【図１】
2016524857.tif 000008
【図２】
2016524857.tif 000009
【図３】
2016524857.tif 000010
【図４】
2016524857.tif 000011
【図５】
2016524857.tif 000012
【国際調査報告】
2016524857.tif 000013
2016524857.tif 000014
2016524857.tif 000015
2016524857.tif 000016